(57)【特許請求の範囲】
【請求項１】
光軸方向に沿って移動可能に配置された１又は複数のレンズ群と、前記１又は複数のレンズ群を夫々保持する１つまたは複数のレンズ枠と、前記レンズ群により結像される被写体像を光電変換するために光軸方向奥部に配置される光電変換手段と、前記レンズ枠に設けられた被検出部と、該被検出部の位置を検出する検出手段と、を備えた鏡胴ユニットにおいて、
前記被検出部は、レンズ枠本体の一部を奥側に突出させた遮光手段、又は反射手段であり、
前記検出手段は、前記光電変換手段の受光面と同等の位置或いは該受光面より奥側寄りの位置に配置された投光素子及び受光素子であり、
前記レンズ枠が最奥位置から該最奥位置よりも被写体側に位置する撮影位置へ移動する過程で前記検出手段が前記被検出部の動作変化を検出する検出位置を、前記レンズ枠が前記撮影位置に向かって移動を開始してから所定の距離を移動することにより所定時間を要する位置とし、
前記検出位置から前記撮影位置までの距離が短くなるように構成し前記レンズ枠は、前記最奥位置から前記検出位置までは高速で駆動され、前記検出位置から前記撮影位置までを中低速にて駆動されることを特徴とする鏡胴ユニット。
【請求項２】
前記被検出部は、前記光電変換手段の最も近傍に位置するレンズ枠に設けられることを特徴とする請求項１に記載の鏡胴ユニット。
【請求項３】
前記被検出部は、複数のレンズ枠に夫々個別に設けられていることを特徴とする請求項１又は２に記載の鏡胴ユニット。
【請求項４】
前記被検出部を設けた複数のレンズ枠が、前記光電変換手段の最も近傍位置から被写体側に向けて順次配置されていることを特徴とする請求項３に記載の鏡胴ユニット。
【請求項５】
最奥部に移動した時に前記光電変換手段の受光面と同等の位置まで被検出部が達しないレンズ枠を備えたことを特徴とする請求項１乃至４に記載の鏡胴ユニット。
【請求項６】
複数のレンズ枠に夫々設けた被検出部と、各被検出部に対応した検出手段を、光軸を中心として略対称となる位置関係に配置したことを特徴とする請求項３又は４に記載の鏡胴ユニット。
【請求項７】
複数のレンズ枠に夫々設けた被検出部に対応して配置された各検出手段のうちの少なくとも一つは、前記光電変換手段の受光面よりも被写体側に配置されていることを特徴とする請求項３、４、５、又は６に記載の鏡胴ユニット。
【請求項８】
前記投光素子及び受光素子は、フォトインタラプタ又はフォトリフレクタであることを特徴とする請求項１乃至７に記載の鏡胴ユニット。
【請求項９】
前記遮光手段又は前記反射手段を設けた前記レンズ枠によって、フォーカス調整を行うことを特徴とする請求項１乃至８に記載の鏡胴ユニット。
【請求項１０】
請求項１乃至９に記載の鏡胴ユニットを備えたことを特徴とする画像入力装置。
【請求項１１】
請求項１０に記載の画像入力装置は、デジタルカメラであることを特徴とする画像入力装置。
【請求項１２】
請求項１０に記載の画像入力装置は、携帯情報端末であることを特徴とする画像入力装置。
【発明の詳細な説明】
【技術分野】
【０００１】
本発明は、パルスモータによって光軸方向に進退自在に構成された一又は複数のレンズ群と、これらのレンズ群により結像される被写体像を光電変換する光電変換素子とを備えた鏡胴ユニットの改良に関し、レンズ群を保持するレンズホルダの光軸方向位置を検出する機構を改良することによってレンズ枠の移動誤差を減少し、且つ移動時間を減少するようにした技術に関する。更に本発明は、この鏡胴ユニットを備えた画像入力装置、デジタルカメラ、及び携帯情報端末にも関する。
【背景技術】
【０００２】
デジタルカメラ、携帯情報端末などの小型化に伴い、これらの機器に搭載される撮影レンズ鏡胴などを含む画像入力装置に対しても、更なる小型化が求められている。画像入力装置の小型化に伴う要請の一つとして、撮影レンズ鏡胴を非撮影時に光軸方向に縮小するズーム沈胴鏡胴に関して、撮影状態と非撮影状態での縮小比率を高めることが求められている。また、鏡胴の再奥部に配置されてレンズ群により結像された光像を受けるＣＣＤなどの光電変換手段の高精細化に伴って、結像位置ずれ等の不具合をなくするために、画像入力装置の撮影レンズ鏡胴の更なる高精度化が求められている。
特許第３０７８０３２号（特許文献１）には、被写体像を光電変換して撮像信号を出力するイメージャと、イメージャの前面側に固定された光学部材にレンズ保持枠の支持部材嵌合部が移動可能に構成されたカメラが開示されている。
この特許文献１を含む従来のズーム沈胴鏡胴にあっては、レンズ群を光軸方向に進退させる手段としてパルスモータを用い、レンズ群を保持するレンズ枠の一部を固定配置された検知手段によって検出することによってレンズ枠の光軸方向位置を検出している。上記の如き撮影レンズ鏡胴の高精度化の要請に対応するためには、検知されたレンズ枠の光軸方向位置情報に基づいて高精度に光軸方向位置を制御する必要があるからである。
ところで、撮影時の操作性を高めるためには、撮影レンズ鏡胴が最も収縮した収納状態から、撮影可能な突出位置まで素早く伸張させる必要があるが、レンズ枠を撮影位置まで突出させるためにパルスモータを高速にて駆動した場合には、位置精度が悪化する虞がある。つまり、収納位置にあったレンズ枠（レンズ群）を撮影位置にまで高精度に移動させるためには、パルスモータ比較的低速で駆動することが好ましい。しかし、低速で駆動した場合にはレンズ鏡胴の進退動作が遅くなり、操作性の低下につながる。
このように、従来の撮影レンズ鏡胴、これを備えた画像入力装置、或いはデジタルカメラ、携帯情報端末等においては、ズーム沈胴鏡胴を伸張動作させる際のレンズ群の位置精度を確保しようとすれば、操作性が低下するという問題があった。
【特許文献１】特許第３０７８０３２号
【発明の開示】
【発明が解決しようとする課題】
【０００３】
本発明は上記に鑑みてなされたものであり、ズーム式の撮影レンズ鏡胴において、収納状態から撮影位置までレンズ群を迅速に移動させて高精度なフォーカス調整を行いつつ、位置精度の低下を防止し、更に小型化を図った鏡胴ユニット、画像入力装置、デジタルカメラ、及び携帯情報端末を提供することを目的とする。
【課題を解決するための手段】
【０００４】
上記課題を解決するため、請求項１の発明は、光軸方向に沿って移動可能に配置された１又は複数のレンズ群と、前記１又は複数のレンズ群を夫々保持する１つまたは複数のレンズ枠と、前記レンズ群により結像される被写体像を光電変換するために光軸方向奥部に配置される光電変換手段と、前記レンズ枠に設けられた被検出部と、該被検出部の位置を検出する検出手段と、を備えた鏡胴ユニットにおいて、前記被検出部は、レンズ枠本体の一部を奥側に突出させた遮光手段、又は反射手段であり、前記検出手段は、前記光電変換手段の受光面と同等の位置或いは該受光面より奥側寄りの位置に配置された投光素子及び受光素子であり、前記レンズ枠が最奥位置から該最奥位置よりも被写体側に位置する撮影位置へ移動する過程で前記検出手段が前記被検出部の動作変化を検出する検出位置を、前記レンズ枠が前記撮影位置に向かって移動を開始してから所定の距離を移動することにより所定時間を要する位置とし、前記検出位置から前記撮影位置までの距離が短くなるように構成し前記レンズ枠は、前記最奥位置から前記検出位置までは高速で駆動され、前記検出位置から前記撮影位置までを中低速にて駆動されることを特徴とする。
請求項２の発明は、請求項１において、前記被検出部は、前記光電変換手段の最も近傍に位置するレンズ枠に設けられることを特徴とする。
請求項３の発明は、請求項１又は２において、前記被検出部は、複数のレンズ枠に夫々個別に設けられていることを特徴とする。
請求項４の発明は、請求項３において、前記被検出部を設けた複数のレンズ枠が、前記光電変換手段の最も近傍から対物側に順次配置されていることを特徴とする。
【０００５】
請求項５の発明は、請求項１乃至４において、最奥部に移動した時に前記光電変換手段の受光面と同等の位置まで被検出部が達しないレンズ枠を備えたことを特徴とする。
請求項６の発明は、請求項３又は４において、複数のレンズ枠に夫々設けた被検出部と、各被検出部に対応した検出手段を、光軸を中心として略対称となる位置関係に配置したことを特徴とする。
請求項７の発明は、請求項３、４、５、又は６において、複数のレンズ枠に夫々設けた被検出部に対応して配置された各検出手段のうちの少なくとも一つは、前記光電変換手段の受光面よりも被写体側に配置されていることを特徴とする。
請求項８の発明は、請求項１乃至７において、前記投光素子、及び受光素子は、フォトインタラプタ又はフォトリフレクタであることを特徴とする。
請求項９の発明は、請求項１乃至８において、前記遮光手段又は前記反射手段を設けた前記レンズ枠によって、フォーカス調整を行うことを特徴とする。
請求項１０の発明に係る画像入力装置は、請求項１乃至９に記載の鏡胴ユニットを備えたことを特徴とする。
請求項１１の発明に係る画像入力装置は、請求項１０に記載の鏡胴ユニットを備えたデジタルカメラであることを特徴とする。
請求項１２の発明に係る画像入力装置は、請求項１０に記載の鏡胴ユニットを備えた携帯情報端末装置であることを特徴とする。
【発明の効果】
【０００６】
本発明では、ズーム沈胴鏡胴において、少なくとも一つのレンズ枠に光軸位置検出機構（検出手段、被検出部）を設けることによって、当該レンズ枠の位置を検出するようにしている。具体的には、レンズ枠が最奥部から、前方の撮影位置まで移動する過程において、検出手段が被検出部の離脱、通過、進入等の動作変化を検出してから、撮影位置に達するまでの距離を従来よりも短くする工夫を行うことによって、精度の高い中低速でのモータ駆動期間を短くしてトータルの操作速度を高めることができる。
被検出部は、光電変換手段の最も近傍に位置するレンズ枠に設けてもよいし、当該レンズ枠よりも被写体側の他のレンズ枠に夫々設けても良い。
最奥部に移動した時に光電変換手段の受光面と同等の位置まで被検出部が達する構成のレンズ枠の他に、被検出部が受光面と同等の位置まで達しないレンズ枠を設けても良い。
複数のレンズ枠に夫々設けた被検出部に対応して配置された各検出手段のうちの少なくとも一つは、光電変換手段の受光面よりも被写体側に配置されているが、レンズ枠から奥側へ突出した被検出部を設けることによって、モータの起動によってレンズ枠が前方へ移動開始してから、検出手段が被検出部の離脱（動作変化）を検出するまでの距離を十分に確保することが可能となる。
複数のレンズ枠に夫々設けた被検出部と、各被検出部に対応した検出手段を、光軸を中心として略対称となる位置関係に配置することによって、部品配置等のレイアウト上有利となる。
被検出部としての遮光手段又は反射手段を設けたレンズ枠によって、フォーカス調整を行うことにより、精度の高いフォーカス調整を行うことが可能となる。
本発明の鏡胴ユニットは、画像入力装置、特に、デジタルカメラ、携帯情報端末、その他の各種機器の鏡胴として利用することができる。画像入力装置としては、上記の他にも、鏡胴ユニットを使用する機器としてのビデオカメラ、銀塩カメラを例示することができる。
【発明を実施するための最良の形態】
【０００７】
以下、本発明を図面に示した実施の形態により詳細に説明する。
図１は本発明の一実施形態に係る鏡胴ユニット（ズーム沈胴鏡胴）の縦断面図、図２は基板、光電変換手段、及びパルスモータ等を示す斜視図、図３は第３レンズ枠の構成を示す斜視図、図４は第２レンズ枠の構成を示す斜視図である。
図１はデジタルカメラのズーム沈胴鏡胴の沈胴状態を示す縦断面図である。
このズーム沈胴鏡胴は、一群レンズＬ１を保持する第１レンズ枠１、二群レンズＬ２を保持する第２レンズ枠２、三群レンズＬ３を保持する第３レンズ枠３、各レンズ枠１、２、３の外周部を光軸方向へ夫々独立して進退可能に支持する光軸方向溝を備えた固定枠４、固定枠４の外側に位置し各レンズ枠１、２、３の外周部を遊嵌する螺旋溝を備えたカム環５、シャッタ６、最奥部（最も像側寄りの位置）に配置した基板１０、基板１０の前面中央部にＣＣＤ基板１１ａを介して配置された光電変換素子（ＣＣＤ）１１、光電変換素子１１の受光面に配置されたローパスフィルタ１２、第２レンズ枠２、及び第３レンズ枠３の光軸方向位置を検出するための光軸方向位置検出機構（検出手段２０、３０、被検出部２１、３１）を備えている。
【０００８】
本実施形態を更に詳述すると、第１レンズ枠１は、一群レンズＬ１を保持した一群レンズセル１ａと、一群レンズセル１ａの外径側に固定された一群枠１ｂとを備えている。一群枠１ｂは、その外周部に設けた一群ライナーフォロア部にて、固定枠４に設けた光軸方向溝（一群ライナー溝穴）４ａに嵌合して光軸方向移動可能に支持され、光軸方向移動可能な状態で、光軸周りの回転を規制されている。一群ライナーフォロア部上にはカムフォロアがカムフォロア止めネジにより固定され、このカムフォロアはカム環５に設けられた一群カム溝穴（螺旋溝）に係合している。このため、カム環５が回転することによって、第１レンズ枠１は光軸方向に直線的に進退することができる。
シャッタ６と、二群レンズＬ２は、第２レンズ枠２に保持されている。第２レンズ枠２は、固定枠４に設けた光軸方向溝（二群ライナー溝穴）に光軸方向移動可能に嵌合している。即ち、第２レンズ枠２に圧入固定された二群カムピンによって光軸方向溝内に係合し、光軸方向移動可能に光軸周りの回転を規制されている。さらに二群カムピンは、光軸方向溝を貫通してカム環５に設けられた二群カム溝穴（螺旋溝）内に係合しているため、カム環５の回転によって光軸方向へ直進することができる。
カム環５は固定枠４の外周に光軸周りに回転可能に嵌合され、固定枠４が基板１０に組み付け固定された状態で光軸方向への移動を規制されている。
カム環５の外周部に位置し、カム環５に固定されたギヤ環５ａは、ズーム駆動伝達系ギヤに係合し、ズームモータ１５（図２）の回転によりズームカム環５を光軸中心に回動する。第１、及び第２レンズ枠１、２は、カム環５の回転により光軸方向に移動する。
三群レンズＬ３は、第３レンズ枠３に保持され、主軸嵌合部３ａと副軸嵌合部３ｂで基板１０に固定された光軸方向に伸びる主軸１６ａと副軸１６ｂｂによって、光軸方向に移動可能に支持されている。
第３レンズ枠３は、フォーカスパルスモータ１７の回転軸に設けられたリードスクリュウの回転と、リードスクリュウに螺合し第３レンズ枠３により光軸方向の移動を規制されたリードナットにより駆動される。
ＣＣＤ１１は、ＣＣＤ基板１１ａに固定され、ＣＣＤ基板１１ａを介して基板１０に固定されている。また、ＣＣＤ１１の対物側にはローパスフィルタ１２が基板１０に固定されている。
光軸方向位置検出機構は、第２レンズ枠２の位置を検出するための検出手段２０及び被検出部２１と、第３レンズ枠３の位置を検出するための検出手段３０及び被検出部３１とを備えている。本実施形態では、検出手段２０、３０は、ズーム位置検出フォトインタラプタであり、被検出部２１、３１は、フォーカス遮光板部（遮光手段）又は反射部（反射手段）である。
第２レンズ枠２の光軸方向位置検出を行うズーム位置検出フォトインタラプタ２０は、基板１０のズーム位置検出フォトインタラプタ取付け部１３Ｂに固定されている。フォトインタラプタに代えて、フォトリフレクタを用いても良い。
第３レンズ枠３の位置検出を行うフォーカス位置検出フォトインタラプタ３０は、基板１０のフォーカス位置検出フォトインタラプタ取付け部１０ａに固定されている。
フォーカス位置検出フォトインタラプタ３０は、投光部と受光部とを所定のギャップを隔てて対向配置した構成を備えており、当該ギャップ内に第３レンズ枠３のフォーカス遮光板部３１が光軸方向への移動とともに出入りし、投光部と受光部間を遮光したときのフォーカス位置検出フォトインタラプタ３０の出力信号により、第３レンズ枠３の位置検出を行っている。
【０００９】
本発明の特徴の一つは、検出手段としてのフォトインタラプタ３０が、被検出部としての遮光板部３１を検出した時の光軸方向検出位置が、ＣＣＤ１１の受光面１１Ａと同等の位置、或いは受光面１１Ａよりも奥側（像側、即ち被写体側と反対側）寄りの位置となるように構成した点にある。
図１に示した例では、第３レンズ枠３から奥方向（被写体側と反対側の方向）へ突出したフォーカス遮光板部３１が収納位置（最奥位置）において、一定の厚みを有した電子部品としてのＣＣＤ１１の側面部と対面する位置まで退避する様に、第３レンズ枠３の可動範囲を設定するとともに、当該位置においてフォーカス位置検出フォトインタラプタ３０によって検出されるように当該フォトインタラプタ３０の固定位置を奥側寄りに設定している。
換言すれば、第３レンズ枠３が最奥位置から前方へ移動する過程でフォトインタラプタ３０が遮光板部３１の離脱（動作変化）を検出した時の検出位置が、光電変換手段の受光面１１Ａと同等の位置、或いは該受光面よりも奥側寄りの位置となるように構成している。
【００１０】
従来のズーム沈胴鏡胴においては、ＣＣＤに最も近い位置にあるレンズ枠の最奥位置を検出するための検出手段は、ＣＣＤの受光面よりも被写体側（前方）に位置しているため、収納状態における最奥部レンズ枠の最奥位置の検出（或いは、最奥位置にあったレンズ枠が前方へ移動したことの検出）も、ＣＣＤ受光面よりも前方にて行われていた。このため、最奥部レンズ枠が最奥位置から前方へ移動したことが検知された（フォトインタラプタがＯＮした）時点から撮影位置に達するまでの移動距離が長くなるという問題があった。即ち、従来装置では、モータの起動とほぼ同時にレンズ枠がフォトインタラプタから離脱してフォトインタラプタをＯＮさせるため、位置精度の高い中低速で撮影位置まで移動させる距離が長くなるが、この場合には、モータ起動時から中低速で駆動するため、撮影位置への移動に要する時間が長くなって操作性が低下するという不具合が生じていた。即ち、パルスモータを起動させて最奥位置にあるレンズ枠を撮影位置にまで移動させる際に、モータの起動時（フォトインタラプタのＯＮ時とほぼ同時）から撮影位置に達するまでのモータ回転速度を高速化すると位置精度が大幅に悪化するため、起動時から撮影位置までの間、位置精度を確保することができる中低速にて駆動する必要があるが、中低速で駆動すると操作性が低下した。
また、従来のようにＣＣＤの受光面よりも前方にフォトインタラプタ等の検出手段を配置すると、検出手段は最奥部レンズ枠の外径方向に配置されることとなり、鏡胴の外径が大きくなる原因となっていた。
【００１１】
これに対して本発明では、ＣＣＤ１１の受光面１１Ａから第３レンズ枠３の撮影位置までの距離を従来と同等に設定しつつ、第３レンズ枠が最奥位置にあることを検出する検出位置をＣＣＤの受光面１１Ａよりも奥側に設定し、それに伴って第３レンズ枠の一部をＣＣＤ受光面よりも奥側に突出させている。即ち、本実施形態では、検出手段としてのフォトインタラプタ３０をＣＣＤの受光面と同等（フォトインタラプタの一部が受光面とオーバーラップする場合）か、或いは受光面よりも奥側に配置するとともに、被検出部としての遮光板部３１を、第３レンズ枠本体よりも奥側、即ち遮光板部３１がＣＣＤの受光面よりも奥側に突出するようにＣＣＤ側面の外径側に位置させている。このため、パルスモータ１７が起動することによって第３レンズ枠が前方に移動開始してから、その遮光板部３１がフォトインタラプタ３０をＯＮさせるまでに所定の距離を移動し、所定の時間を要することとなる。つまり、従来例とは異なり、パルスモータの駆動開始とほぼ同時にフォトインタラプタがＯＮすることはない。そして、パルスモータ起動からフォトインタラプタ３０がＯＮするまでの期間は、位置精度を配慮する必要がないため、パルスモータを高速で駆動させることができ、フォトインタラプタ３０がＯＮしてから第３レンズ枠３が撮影位置に達するまでの短い距離だけを精度の高い中低速にて駆動することが可能となる。従って、位置精度を高く維持しつつ、撮影位置に達するまでの全体の時間を短縮することができる。
また、本実施形態では、フォトインタラプタ３０の配置場所として、従来デッドスペースとして利用されることがなかったＣＣＤ１１の側方の空間を利用している。つまり、ＣＣＤの受光面よりも前方であって、第３レンズ枠の外径方向に、フォトインタラプタを配置するスペースを確保する必要がなくなるため、フォトインタラプタとその支持部材のスペース分だけ鏡胴の径を縮小することが可能となる。
なお、フォトインタラプタの位置を従来通り、ＣＣＤよりも前方に配置しつつ、第３レンズ枠の一部を奥側に突出させた被検出部とすることによっても、モータの起動後、フォトインタラプタがＯＮするまでの時間を稼ぐとともに、フォトインタラプタがＯＮしてからレンズ枠が撮影位置に達するまでの距離を短くすることができる。
【００１２】
次に、本実施形態では、第２のレンズ枠２についても、第３のレンズ枠に対する光軸位置検出機構（検出手段３０、被検出部３１）の場合と同様に、第３レンズ枠３の位置を検出するための検出手段２０及び被検出部２１とを設けることによって、モータ１５の起動開始から検出手段２０が被検出部２１の離脱（通過、進入、その他の動作変化）を検出するまでの期間と、検出手段２０がＯＮしてから撮影位置に達するまでの期間の移動速度を異ならせている。
即ち、検出手段としてのズーム位置検出フォトインタラプタ２０の投光部と受光部との間に、第２レンズ枠２のズーム遮光板部２１（被検出部）が光軸方向の移動に伴って出入りし、投光部と受光部間に入っていた遮光板部２１が離脱して遮光を解除することにより、ズーム位置検出フォトインタラプタ２０がＯＮ信号を出力し、この信号出力タイミングに基づいて第２レンズ枠２の位置検出を行っている。従って、第２レンズ枠２が最奥部にあるときに、遮光板部２１を、図１、図４に示すようにＣＣＤ１１の受光面と同等か、それよりも奥側に突出させるように構成することにより、パルスモータの起動後、フォトインタラプタ２０がＯＮするまでの時間をかせぐことができ、この時間内においては精度の低い高速でモータを駆動し、フォトインタラプタ２０がＯＮすることによって第２レンズ枠２の位置が検出された時点以降、撮影位置に到達するまでの短い距離を精度の高い中低速で駆動することができる。
このように被検出部としてのフォトインタラプタは、光電変換手段１１の最も近傍に位置するレンズ枠である第３レンズ枠３に設けてもよいし、第３レンズ枠よりも被写体側の他のレンズ枠に夫々設けても良い。
【００１３】
なお、最奥部に移動した時に光電変換手段の受光面１１Ａと同等の位置まで被検出部が達する構成のレンズ枠２、３の他に、被検出部が受光面１１Ａと同等の位置まで達しないレンズ枠である第１のレンズ枠１を設けても良い。
また、複数のレンズ枠に夫々設けた被検出部に対応して配置された各検出手段のうちの少なくとも一つ、本例では第２レンズ枠２は、光電変換手段の受光面１１Ａよりも被写体側に配置されているが、第２レンズ枠２から奥側へ突出した被検出部２１を設けることによって、モータの起動によって第２レンズ枠２が前方へ移動開始してから、検出手段が被検出部の離脱を検出するまでの距離を十分に確保することが可能となる。
複数のレンズ枠２、３に夫々設けた被検出部２１、３１と、各被検出部に対応した検出手段２０、３０を、光軸を中心として略対称となる位置関係に配置することによって、部品配置等のレイアウト上有利となる。
被検出部としての遮光手段又は反射手段を設けたレンズ枠によって、フォーカス調整を行うことにより、精度の高いフォーカス調整を行うことが可能となる。
なお、本発明の鏡胴ユニットは、画像入力装置、特にデジタルカメラ、携帯情報端末、その他の各種機器の鏡胴として利用することができる。
【図面の簡単な説明】
【００１４】
【図１】本発明の一実施形態に係る鏡胴ユニット（ズーム沈胴鏡胴）の縦断面図。
【図２】基板、光電変換手段、及びパルスモータ等を示す斜視図。
【図３】第３レンズ枠の構成を示す斜視図。
【図４】第２レンズ枠の構成を示す斜視図。
【符号の説明】
【００１５】
１  第１レンズ枠、２  第２レンズ枠、３  第３レンズ枠、４  固定枠、５  カム環、６  シャッタ、１０  基板、１１  光電変換素子（ＣＣＤ）、１１Ａ  受光面、１２  ローパスフィルタ、２０、３０  検出手段、２１、３１  被検出部、１７  フォーカスパルスモータ。
【図１】
0004627998.tif 000002
【図２】
0004627998.tif 000003
【図３】
0004627998.tif 000004
【図４】
0004627998.tif 000005